【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
画像処理装置に接続される情報処理装置であって、
ユーザが前記画像処理装置にログインしたことを前記画像処理装置から前記情報処理装置に通知させるための通知要求を前記画像処理装置に送信する第１の送信手段と、
前記第１の送信手段により前記通知要求が送信された前記画像処理装置に前記ユーザがログインしたことの通知を前記画像処理装置から受信する第１の受信手段と、
前記第１の受信手段により前記通知が受信された場合、前記ユーザがログインした前記画像処理装置により前記情報処理装置の遠隔操作を可能とするための遠隔操作要求を前記画像処理装置に送信する第２の送信手段と、
前記第２の送信手段により前記遠隔操作要求が送信された後に、前記遠隔操作を実行するための情報を前記画像処理装置から受信する第２の受信手段と、
前記第２の受信手段により受信された情報に基づき、前記情報処理装置を制御する制御手段とを有することを特徴とする情報処理装置。
【請求項２】
前記第２の送信手段は、前記情報処理装置に前記画像処理装置から遠隔操作すべき事象が発生している場合、前記遠隔操作要求を送信することを特徴とする請求項１に記載の情報処理装置。
【請求項３】
前記画像処理装置が前記遠隔操作を実行するための情報を送信する際に必要なユーザインタフェースを前記画像処理装置に表示させるためのデータを前記画像処理装置に送信する第３の送信手段を更に有することを特徴とする請求項１又は２に記載の情報処理装置。
【請求項４】
前記第２の送信手段により前記遠隔操作要求が送信された後に、前記データの送信要求を前記画像処理装置から受信する第３の受信手段とを更に有し、
前記第３の送信手段は、前記第３の受信手段により受信された前記送信要求の応答として、前記データを送信することを特徴とする請求項３に記載の画像処理装置。
【請求項５】
情報処理装置に接続される画像処理装置であって、
ユーザが前記画像処理装置にログインしたことを前記画像処理装置から前記情報処理装置に通知させるための通知要求を前記情報処理装置から受信する第１の受信手段と、
前記ユーザの前記画像処理装置へのログインを実行する実行手段と、
前記第１受信手段により前記通知要求が受信され、かつ前記実行手段により前記ユーザの前記画像処理装置へのログインが実行された場合、前記画像処理装置に前記ユーザがログインしたことの通知を前記情報処理装置に送信する第１の送信手段と、
前記第１の送信手段により前記通知が送信された後に、前記ユーザがログインした前記画像処理装置により前記情報処理装置の遠隔操作を可能とするための遠隔操作要求を前記情報処理装置から受信する第２の受信手段と、
前記第２の受信手段により前記遠隔操作要求が受信された後に、前記遠隔操作を実行するための情報を前記情報処理装置に送信する第２の送信手段とを有することを特徴とする画像処理装置。
【請求項６】
前記第１の受信手段により受信された通知要求を登録する登録手段を更に有し、
前記第１の送信手段は、前記登録手段により登録された前記通知要求に従って、前記通知を送信することを特徴とする請求項５に記載の画像処理装置。
【請求項７】
前記遠隔操作を実行することを前記ユーザに確認するための確認手段を更に有し、
前記第２の送信手段は、前記確認手段による確認に対し、前記遠隔操作を実行するよう指示された場合、前記情報を前記情報処理装置に送信することを特徴とする請求項５又は６に記載の画像処理装置。
【請求項８】
前記画像処理装置が前記遠隔操作を実行するための情報を送信する際に必要なユーザインタフェースを表示するためのデータを前記情報処理装置から受信する第３の受信手段と、
前記第３の受信手段により受信されたデータに基づき、前記遠隔操作を実行するためのユーザインタフェースを表示する表示手段とを更に有することを特徴とする請求項５乃至７のいずれかに記載の画像処理装置。
【請求項９】
前記第２の受信手段により前記遠隔操作要求が受信された後に、前記データの送信要求を前記情報処理装置に送信する第３の送信手段とを更に有し、
前記第３の受信手段は、前記第３の送信手段により送信された前記送信要求の応答として、前記データを受信することを特徴とする請求項８に記載の画像処理装置。
【請求項１０】
画像処理装置と情報処理装置とを有し、前記画像処理装置から前記情報処理装置を遠隔操作するための遠隔システムであって、
前記情報処理装置は、
ユーザが前記画像処理装置にログインしたことを前記画像処理装置から前記情報処理装置に通知させるための通知要求を前記画像処理装置に送信する第１の送信手段と、
前記第１の送信手段により前記通知要求が送信された前記画像処理装置に前記ユーザがログインしたことの通知を前記画像処理装置から受信する第１の受信手段と、
前記第１の受信手段により前記通知が受信された場合、前記ユーザがログインした前記画像処理装置により前記情報処理装置の遠隔操作を可能とするための遠隔操作要求を前記画像処理装置に送信する第２の送信手段と、
前記第２の送信手段により前記遠隔操作要求が送信された後に、前記遠隔操作を実行するための情報を前記画像処理装置から受信する第２の受信手段と、
前記第２の受信手段により受信された情報に基づき、前記情報処理装置を制御する制御手段とを有することを特徴とし、
前記画像処理装置は、
前記通知要求を前記情報処理装置から受信する第３の受信手段と、
前記ユーザの前記画像処理装置へのログインを実行する実行手段と、
前記第３受信手段により前記通知要求が受信され、かつ前記実行手段により前記ユーザの前記画像処理装置へのログインが実行された場合、前記画像処理装置に前記ユーザがログインしたことの通知を前記情報処理装置に送信する第３の送信手段と、
前記第３の送信手段により前記通知が送信された後に、前記遠隔操作要求を前記情報処理装置から受信する第４の受信手段と、
前記第４の受信手段により前記遠隔操作要求が受信された後に、前記遠隔操作を実行するための情報を前記情報処理装置に送信する第４の送信手段とを有することを特徴とする遠隔操作システム。
【請求項１１】
画像処理装置と情報処理装置とを有し、前記画像処理装置から前記情報処理装置を遠隔操作するための遠隔システムを制御する制御方法であって、
ユーザが前記画像処理装置にログインしたことを前記画像処理装置から前記情報処理装置に通知させるための通知要求を前記情報処理装置から前記画像処理装置に送信する第１の送信工程と、
前記ユーザの前記画像処理装置へのログインを実行する実行工程と、
前記第１送信工程により前記通知要求が送信され、かつ前記実行工程により前記ユーザの前記画像処理装置へのログインが実行された場合、前記画像処理装置に前記ユーザがログインしたことの通知を前記画像処理装置から前記情報処理装置に送信する第２の送信工程と、
前記第２の送信工程により前記通知が送信された場合、前記ユーザがログインした前記画像処理装置により前記情報処理装置の遠隔操作を可能とするための遠隔操作要求を前記情報処理装置から前記画像処理装置に送信する第３の送信工程と、
前記第３の送信工程により前記遠隔操作要求が送信された後に、前記遠隔操作を実行するための情報を前記画像処理装置から前記情報処理装置に送信する第４の送信工程と、
前記第４の送信工程により送信された情報に基づき、前記情報処理装置を制御する制御工程とを有することを特徴とする制御方法。
【手続補正２】
【補正対象書類名】明細書
【補正対象項目名】発明の名称
【補正方法】変更
【補正の内容】
【発明の名称】情報処理装置、画像処理装置、並びに遠隔システム及びその制御方法
【手続補正３】
【補正対象書類名】明細書
【補正対象項目名】０００１
【補正方法】変更
【補正の内容】
【０００１】
本発明は、情報処理装置、画像処理装置、並びに遠隔システム及びその制御方法に関し、特に、外部の装置と通信を行う情報処理装置、外部の装置と通信を行う画像処理装置、画像処理装置から情報処理装置を遠隔操作するための遠隔システム、及び該遠隔システムを制御する制御方法に関する。
【手続補正４】
【補正対象書類名】明細書
【補正対象項目名】００１５
【補正方法】変更
【補正の内容】
【００１５】
本発明はこのような問題点に鑑みてなされたものであって、遠隔操作の操作対象側であ
る情報処理装置から画像処理装置に対して遠隔操作の要求を行うことを可能にした情報処理装置、画像処理装置、並びに遠隔システム及びその制御方法を提供することを目的とする。
【手続補正５】
【補正対象書類名】明細書
【補正対象項目名】００１８
【補正方法】変更
【補正の内容】
【００１８】
上記目的を達成するために、請求項１記載の情報処理装置は、画像処理装置に接続される情報処理装置であって、ユーザが前記画像処理装置にログインしたことを前記画像処理装置から前記情報処理装置に通知させるための通知要求を前記画像処理装置に送信する第１の送信手段と、前記第１の送信手段により前記通知要求が送信された前記画像処理装置に前記ユーザがログインしたことの通知を前記画像処理装置から受信する第１の受信手段と、前記第１の受信手段により前記通知が受信された場合、前記ユーザがログインした前記画像処理装置により前記情報処理装置の遠隔操作を可能とするための遠隔操作要求を前記画像処理装置に送信する第２の送信手段と、前記第２の送信手段により前記遠隔操作要求が送信された後に、前記遠隔操作を実行するための情報を前記画像処理装置から受信する第２の受信手段と、前記第２の受信手段により受信された情報に基づき、前記情報処理装置を制御する制御手段とを有することを特徴とする。
【手続補正６】
【補正対象書類名】明細書
【補正対象項目名】００１９
【補正方法】変更
【補正の内容】
【００１９】
また、請求項５記載の画像処理装置は、情報処理装置に接続される画像処理装置であって、ユーザが前記画像処理装置にログインしたことを前記画像処理装置から前記情報処理装置に通知させるための通知要求を前記情報処理装置から受信する第１の受信手段と、前記ユーザの前記画像処理装置へのログインを実行する実行手段と、前記第１受信手段により前記通知要求が受信され、かつ前記実行手段により前記ユーザの前記画像処理装置へのログインが実行された場合、前記画像処理装置に前記ユーザがログインしたことの通知を前記情報処理装置に送信する第１の送信手段と、前記第１の送信手段により前記通知が送信された後に、前記ユーザがログインした前記画像処理装置により前記情報処理装置の遠隔操作を可能とするための遠隔操作要求を前記情報処理装置から受信する第２の受信手段と、前記第２の受信手段により前記遠隔操作要求が受信された後に、前記遠隔操作を実行するための情報を前記情報処理装置に送信する第２の送信手段とを有することを特徴とする。
【手続補正７】
【補正対象書類名】明細書
【補正対象項目名】００２０
【補正方法】変更
【補正の内容】
【００２０】
また、請求項１０記載の遠隔システムは、画像処理装置と情報処理装置とを有し、前記画像処理装置から前記情報処理装置を遠隔操作するための遠隔システムであって、前記情報処理装置は、ユーザが前記画像処理装置にログインしたことを前記画像処理装置から前記情報処理装置に通知させるための通知要求を前記画像処理装置に送信する第１の送信手段と、前記第１の送信手段により前記通知要求が送信された前記画像処理装置に前記ユーザがログインしたことの通知を前記画像処理装置から受信する第１の受信手段と、前記第１の受信手段により前記通知が受信された場合、前記ユーザがログインした前記画像処理装置により前記情報処理装置の遠隔操作を可能とするための遠隔操作要求を前記画像処理装置に送信する第２の送信手段と、前記第２の送信手段により前記遠隔操作要求が送信された後に、前記遠隔操作を実行するための情報を前記画像処理装置から受信する第２の受信手段と、前記第２の受信手段により受信された情報に基づき、前記情報処理装置を制御する制御手段とを有することを特徴とし、前記画像処理装置は、前記通知要求を前記情報処理装置から受信する第３の受信手段と、前記ユーザの前記画像処理装置へのログインを実行する実行手段と、前記第３受信手段により前記通知要求が受信され、かつ前記実行手段により前記ユーザの前記画像処理装置へのログインが実行された場合、前記画像処理装置に前記ユーザがログインしたことの通知を前記情報処理装置に送信する第３の送信手段と、前記第３の送信手段により前記通知が送信された後に、前記遠隔操作要求を前記情報処理装置から受信する第４の受信手段と、前記第４の受信手段により前記遠隔操作要求が受信された後に、前記遠隔操作を実行するための情報を前記情報処理装置に送信する第４の送信手段とを有することを特徴とする。
【手続補正８】
【補正対象書類名】明細書
【補正対象項目名】００２１
【補正方法】変更
【補正の内容】
【００２１】
また、請求項１１記載の制御装置は、画像処理装置と情報処理装置とを有し、前記画像処理装置から前記情報処理装置を遠隔操作するための遠隔システムを制御する制御方法であって、ユーザが前記画像処理装置にログインしたことを前記画像処理装置から前記情報処理装置に通知させるための通知要求を前記情報処理装置から前記画像処理装置に送信する第１の送信工程と、前記ユーザの前記画像処理装置へのログインを実行する実行工程と、前記第１送信工程により前記通知要求が送信され、かつ前記実行工程により前記ユーザの前記画像処理装置へのログインが実行された場合、前記画像処理装置に前記ユーザがログインしたことの通知を前記画像処理装置から前記情報処理装置に送信する第２の送信工程と、前記第２の送信工程により前記通知が送信された場合、前記ユーザがログインした前記画像処理装置により前記情報処理装置の遠隔操作を可能とするための遠隔操作要求を前記情報処理装置から前記画像処理装置に送信する第３の送信工程と、前記第３の送信工程により前記遠隔操作要求が送信された後に、前記遠隔操作を実行するための情報を前記画像処理装置から前記情報処理装置に送信する第４の送信工程と、前記第４の送信工程により送信された情報に基づき、前記情報処理装置を制御する制御工程とを有することを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３４
【補正方法】削除
【補正の内容】